(57)【特許請求の範囲】
【請求項１】
第１ハウジングと、
前記第１ハウジングの内側の電気伝送部および前記第１ハウジングの外側の光伝送部と、
前記第１ハウジングの一部により構成され、前記電気伝送部と前記光伝送部との間に設けられた仕切り部と、
前記光伝送部がスライド可能な第２ハウジングと、
前記光伝送部の一端の前記第２ハウジングの前面よりも突出した第１の位置に配置され、被コネクト機器への装着時に前記第２ハウジングの内部の第２の位置まで後退するレンズと、
前記光伝送部を前記第２の位置から前記第１の位置方向へ付勢する第１ばね部材と、
前記第１の位置で停止させる第２ばね部材と
を備えたコネクタ。
【請求項２】
前記第２ばね部材の前記光伝送部との当接面は前記仕切り部の法線に対して傾斜を有し、
前記光伝送部の前記第２ばね部材との当接面が前記傾斜に沿っている
請求項１記載のコネクタ。
【請求項３】
前記第１ハウジング、前記第２ハウジング、前記第１ばね部材および前記第２ばね部材は一体化されている
請求項１記載のコネクタ。
【請求項４】
前記レンズは前記光伝送部の前端面に設けられ、
前記光伝送部の上面から前端面を覆う保護カバーを有し、
前記保護カバーは、前記光伝送部が前記第１の位置に配置されている時に、上方向に前記光伝送部から離間した傾斜部を有すると共に前記レンズとの対向位置よりも上部に開口を有し、前記レンズを保護する
請求項１記載のコネクタ。
【請求項５】
前記保護カバーは、前記光伝送部が前記第２の位置に後退する際に前記傾斜部が前記第２ハウジングの内壁面に当接して下降し、前記開口が前記レンズに対向する
請求項４記載のコネクタ。
【請求項６】
前記光伝送部は被コネクト機器への装着時の位置決めを行う、位置規制部を有する
請求項１記載のコネクタ。
【請求項７】
前記位置規制部は、テーパ状の凸部である
請求項６記載のコネクタ。
【請求項８】
第１ハウジングと、
前記第１ハウジングの内側の電気伝送部および前記第１ハウジングの外側の光伝送部と、
前記第１ハウジングの一部により構成され、前記電気伝送部と前記光伝送部との間に設けられた仕切り部と、
前記光伝送部がスライド可能な第２ハウジングと、
前記光伝送部の前端面の前記第２ハウジングの前面よりも突出した第１の位置に配置され、被コネクト機器への装着時に前記第２ハウジングの内部の第２の位置まで後退するレンズと、
前記光伝送部の上面から前端面を覆う保護カバーとを備え、
前記保護カバーは、前記光伝送部が前記第１の位置に配置されている時に、上方向に前記光伝送部から離間した傾斜部を有すると共に前記レンズとの対向位置よりも上部に開口を有し、前記レンズを保護する
コネクタ。
【請求項９】
装着されるコネクタと逆タイプのコネクタ部を有し、
前記コネクタ部は、
第１ハウジングと、
前記第１ハウジングの内側の電気伝送部および前記第１ハウジングの外側の光伝送部と、
前記第１ハウジングの一部により構成され、前記電気伝送部と前記光伝送部との間に設けられた仕切り部と、
前記光伝送部がスライド可能な第２ハウジングと、
前記光伝送部の一端の前記第２ハウジングの前面よりも突出した第１の位置に配置され、被コネクト機器への装着時に前記第２ハウジングの内部の第２の位置まで後退するレンズと、
前記光伝送部を前記第２の位置から前記第１の位置方向へ付勢する第１ばね部材と、
前記第１の位置で停止させる第２ばね部材と
を備えた電子機器。
【請求項１０】
装着されるコネクタと逆タイプのコネクタ部を有し、
前記コネクタ部は、
第１ハウジングと、
前記第１ハウジングの内側の電気伝送部および前記第１ハウジングの外側の光伝送部と、
前記第１ハウジングの一部により構成され、前記電気伝送部と前記光伝送部との間に設けられた仕切り部と、
前記光伝送部がスライド可能な第２ハウジングと、
前記光伝送部の前端面の前記第２ハウジングの前面よりも突出した第１の位置に配置され、被コネクト機器への装着時に前記第２ハウジングの内部の第２の位置まで後退するレンズと、
前記光伝送部の上面から前端面を覆う保護カバーとを備え、
前記保護カバーは、前記光伝送部が前記第１の位置に配置されている時に、上方向に前記光伝送部から離間した傾斜部を有すると共に前記レンズとの対向位置よりも上部に開口を有し、前記レンズを保護する
電子機器。
【発明の詳細な説明】
【技術分野】
【０００１】
本技術は、電気伝送と共に光伝送が可能なコネクタおよび電子機器に関する。
【背景技術】
【０００２】
これまで、機器間の信号伝送は、例えば、ＵＳＢ（Universal Serial Bus，登録商標）やＨＤＭＩ（High-Definition Multimedia Interface，登録商標）等を用い、電気信号によりなされてきた。しかしながら、近年のＭＰＵ（Micro Processing Unit）の高機能化に伴い、データの授受量が著しく増大し、電気伝送では、その容量および速度の面で十分に対応できなくなってきている。
【０００３】
そこで、電気伝送に代えて、あるいは電気伝送と共に光伝送を行う技術が開発されている。例えば、特許文献１では、ＵＳＢ規格のハウジングの中に、光伝送部が設けられたコネクタが開示されている。即ち、既存の電気コネクタのハウジングの中に光伝送用の部品を混載させて、コネクタの仕様が維持されるようになっている。
【先行技術文献】
【特許文献】
【０００４】
【特許文献１】実用新案登録第３１６０７０７号公報
【発明の概要】
【発明が解決しようとする課題】
【０００５】
しかしながら、ＵＳＢやＨＤＭＩなどの既存の電気コネクタのハウジングの内部には、光伝送用の部品を搭載するための十分な空間はないため、電気伝送用の端子を減らし、あるいはその配置を変更するなどして、光伝送部を設けなければならない。このため、光伝送部を追加したコネクタを、既存の電気伝送機能のみの電子機器（被コネクト機器）に装着すると、コネクタ側の光伝送用の部品が電子機器側の電気伝送用の端子に接触して干渉し、互換性が保持されないという問題が生じる。所謂、下位互換性の問題である。
【０００６】
このように光伝送機能を追加したコネクタが下位互換性を有さない場合、このコネクタに加え、既存の電気伝送機能のみのコネクタをも使用者に準備させることになる。即ち、使用者にコスト、サイズの面で大きな負担を強いることになるため、結局は機器自体に採用されず、普及が困難となる。
【０００７】
本技術はかかる問題点に鑑みてなされたもので、その第１の目的は、電気伝送機能と共に光伝送機能を有し、かつ、既存の電気伝送機能のみの電子機器にも装着可能なコネクタを提供することにある。
【０００８】
本技術の第２の目的は、電気伝送機能と共に光伝送機能を有し、かつ、既存の電気伝送機能のみのコネクタも装着可能な電子機器を提供することにある。
【課題を解決するための手段】
【０００９】
本技術の第１のコネクタは、第１ハウジングと、第１ハウジングの内側の電気伝送部および第１ハウジングの外側の光伝送部と、第１ハウジングの一部により構成され、電気伝送部と光伝送部との間に設けられた仕切り部と、光伝送部がスライド可能な第２ハウジングと、光伝送部の一端の第２ハウジングの前面よりも突出した第１の位置に配置され、被コネクト機器への装着時に第２ハウジングの内部の第２の位置まで後退するレンズと、光伝送部を第２の位置から第１の位置方向へ付勢する第１ばね部材と、第１の位置で停止させる第２ばね部材とを備えたものである。本技術の第２のコネクタは、第１ハウジングと、第１ハウジングの内側の電気伝送部および第１ハウジングの外側の光伝送部と、第１ハウジングの一部により構成され、電気伝送部と光伝送部との間に設けられた仕切り部と、光伝送部がスライド可能な第２ハウジングと、光伝送部の前端面の第２ハウジングの前面よりも突出した第１の位置に配置され、被コネクト機器への装着時に第２ハウジングの内部の第２の位置まで後退するレンズと、光伝送部の上面から前端面を覆う保護カバーとを備えたものであり、保護カバーは、光伝送部が第１の位置に配置されている時に、上方向に光伝送部から離間した傾斜部を有すると共にレンズとの対向位置よりも上部に開口を有し、レンズを保護する。
【００１０】
本技術の第１の電子機器は、装着されるコネクタと逆タイプのコネクタ部を有し、コネクタ部は、第１ハウジングと、第１ハウジングの内側の電気伝送部および第１ハウジングの外側の光伝送部と、第１ハウジングの一部により構成され、電気伝送部と光伝送部との間に設けられた仕切り部と、光伝送部がスライド可能な第２ハウジングと、光伝送部の一端の第２ハウジングの前面よりも突出した第１の位置に配置され、被コネクト機器への装着時に第２ハウジングの内部の第２の位置まで後退するレンズと、光伝送部を第２の位置から第１の位置方向へ付勢する第１ばね部材と、第１の位置で停止させる第２ばね部材とを備えたものである。本技術の第２の電子機器は、装着されるコネクタと逆タイプのコネクタ部を有し、コネクタ部は、第１ハウジングと、第１ハウジングの内側の電気伝送部および第１ハウジングの外側の光伝送部と、第１ハウジングの一部により構成され、電気伝送部と光伝送部との間に設けられた仕切り部と、光伝送部がスライド可能な第２ハウジングと、光伝送部の前端面の第２ハウジングの前面よりも突出した第１の位置に配置され、被コネクト機器への装着時に第２ハウジングの内部の第２の位置まで後退するレンズと、光伝送部の上面から前端面を覆う保護カバーとを備えたものであり、保護カバーは、光伝送部が第１の位置に配置されている時に、上方向に光伝送部から離間した傾斜部を有すると共にレンズとの対向位置よりも上部に開口を有し、レンズを保護する。
【００１１】
本技術の第１および第２のコネクタでは、電気伝送部と光伝送部とが仕切り部により分離されているので、既存の電気伝送機能のみを有する電子機器に装着する際に、光伝送部は電気伝送用の端子に接触せず、干渉する虞がない。具体的には、電気伝送ハウジングの内側に電気伝送部が、外側に光伝送部が設けられており、電気伝送ハウジングの一部が仕切り部として機能する。本技術の電子機器も、同様に、電気伝送用の端子に干渉することなく、電気伝送機能のみを有する既存のコネクタを装着することができる。
【発明の効果】
【００１２】
本技術の第１および第２のコネクタによれば、電気伝送部と光伝送部とを仕切り部により分離するようにしたので、既存の電気伝送機能のみの電子機器との装着の際にも、光伝送部による阻害を防ぐことができる。よって、既存の電気伝送機能のみの電子機器にも装着することができる。即ち、下位互換性の維持が可能となる。本技術の電子機器も同様である。
【図面の簡単な説明】
【００１３】
【図１】本開示の一実施の形態に係るコネクタの要部構成を表す斜視図である。
【図２】（Ａ）は図１に示したコネクタの上面図、（Ｂ）は側面図である。
【図３】図１に示したコネクタの正面図である。
【図４】図１に示したコネクタが装着される電子機器の構成を表す斜視図である。
【図５】図４に示した電子機器に装着する際の、図１に示したコネクタの動作を表す側面図である。
【図６】図５に示した動作の機構を説明するための図である。
【図７】図６に示した第１ばね部材の構成を表す上面図である。
【図８】図６に示した第２ばね部材の構成を表す上面図である。
【図９】図１に示したコネクタを図４に示した電子機器に装着する際のレンズの状態について説明するための図である。
【図１０】比較例に係るコネクタの要部構成を表す斜視図である。
【図１１】図４に示した電子機器のコネクタ部の変形例（既存のコネクタ部）を表す斜視図である。
【図１２】変形例に係るコネクタの要部構成を表す斜視図である。
【図１３】図１２に示したコネクタの、電子機器への装着時の構成を表す斜視図である。
【図１４】図１１に示した保護カバーの動作を説明するための図である。
【発明を実施するための形態】
【００１４】
以下、本技術の実施の形態について、図面を参照して詳細に説明する。なお、説明は以下の順序で行う。
１．実施の形態
電気伝送ハウジング（第１ハウジング）の内側に電気伝送部、外側に光伝送部を設けた例
２．変形例
光伝送部のレンズを保護するための保護カバーを有する例
【００１５】
〔実施の形態〕
図１は本開示の一実施の形態に係るコネクタ（コネクタ１）の主要部の構成を表したものである。図２（Ａ）はコネクタ１全体の上面（Ｚ軸方向）、図２（Ｂ）は側面（Ｘ軸方向）、図３は正面（Ｙ軸方向）の構成を表している。
【００１６】
コネクタ１は例えばＨＤＭＩ規格のコネクタである。このコネクタ１は、支持体３０に、電気伝送ハウジング１０（第１ハウジング）および光伝送ハウジング２０（第２ハウジング）を備えている。電気伝送ハウジング１０の内側には電気伝送部１１が収められている。電気伝送ハウジング１０の外側には、電気伝送部１１（第１ハウジング１０）と隣り合う位置に光伝送部２１が配置されている。コネクタ１は、所謂オス型コネクタであり、メス型コネクタ部を有する電子機器（被コネクト機器、例えば後述の図４の電子機器２）に装着されて、電気伝送および光伝送を行うことができるようになっている。
【００１７】
電気伝送ハウジング１０は支持体３０の端面（前面）から突出している。この電気伝送ハウジング１０は、上面１０Ｕと、上面１０Ｕと対向する下面１０Ｄと、上面１０Ｕと下面１０とを連結する２つの側面１０Ｓとからなり、正面に開口を有してメス型コネクタ部に嵌合されるようになっている。電気伝送ハウジング１０は、例えばステンレス等の金属により構成されている。
【００１８】
電気伝送ハウジング１０の内側に設けられた電気伝送部１１は、例えばポリイミド等からなる絶縁性の基板に、電気伝送ハウジング１０の延在方向（Ｙ軸方向）に延びる複数の電気配線が設けられたものであり、電気配線の配置は、ＨＤＭＩ（登録商標）規格となっている。
【００１９】
光伝送部２１は、電気伝送ハウジング１０の上面１０Ｕ（仕切り部）を間にして、電気伝送部１１の上部に設けられている。詳細は後述するが、本実施の形態では、この光伝送部２１が、電気伝送ハウジング１０の外側に設けられていることにより、電気伝送機能のみを有する既存の電子機器にも装着可能であり、互換性が保たれる。
【００２０】
光伝送部２１は、例えば真鍮からなる略直方体状のスライダ２２と、スライダ２２の前端面に設けられた凸部２３（位置規制部）および複数のレンズ２４と、スライダ２２の前後方向（Ｙ軸方向）に延在する光伝送体（図示せず）とを有している。即ち、コネクタ１では、スライダ２２の前後方向に沿って光伝送経路が設けられ、その一端にレンズ２４が配置されている。
【００２１】
スライダ２２は前後方向に移動可能であり、電子機器への未装着時には支持体３０の前面よりも突出し、電子機器への装着時には光伝送経路が光伝送ハウジング２０（支持体３０）に収容されるようになっている。このように光伝送部２１を光伝送ハウジング２０に対して可動とすることにより、製造時の部品の配置にある程度のばらつきが生じた場合にも、電子機器への装着時にレンズ２４（光伝送経路）の位置合わせを精確に行うことができる。スライダ２２の前端面は、中央部が両端に比べて後退し（へこみ）、この後退した領域にレンズ２４が配置されている（後述の図９）。光伝送部２１の奥部には、光伝送部２１がスライドすることによりたわんだ光伝送体を格納して保持できる空間が設けられていることが好ましい。これにより、光伝送体に過剰な応力がかかることが抑えられる。
【００２２】
凸部２３は、電子機器への装着時に位置合わせを行うためのものであり、スライダ２２の前端面の両端に２つ設けられている。この凸部２３が、電子機器側の光伝送部に設けられた凹部（図４の凹部２２３）に挿入されて、精確な位置に固定されるようになっている。コネクタ１のレンズ２４と電子機器のレンズ（図４のレンズ２２４）との配置のずれを５０μｍ以下に抑えることが好ましく、１５μｍ以下であることがより好ましい。凸部２３は、略円錐状あるいは円錐台状であり、スライダ２２から離れるにつれて円断面の直径が小さくなるテーパ形状を有している。凹部への挿入を容易にするためである。凸部２３は、例えば、スライダ２２の前端面より１ｍｍ程度突出している。
【００２３】
レンズ２４は、コリメートレンズであり、光伝送体からの射出光を平行光化し、あるいは電子機器からの入射光（平行光）を光伝送体の端部に集光するためのものである。レンズ２４は、スライダ２２の前端面に沿って（Ｘ軸方向）例えば、２５０μｍピッチで複数配置されている。電子機器への装着時には、この複数のレンズ２４の各々が電子機器側のレンズ（レンズ２２４）と対向するようになっている。光伝送体は、レンズ２４の焦点に対応して設けられ、レンズ２４に光学的に結合している。この光伝送体により、レンズ２４からの入射光が伝播され、あるいは伝播してきた光がレンズ２４を介して電子機器側のレンズに射出される。この光伝送体は、例えば光ファイバ等であり、石英、硝材、フッ素系ポリマーあるいはアクリル系ポリマー等により構成されている。
【００２４】
レンズ２４（光伝送経路の一端）は、電子機器への未装着時には支持体３０の前面よりも突出しており、支持体３０の前端面と電気伝送ハウジング１０の前端面との間（第１の位置）に配置されている。電子機器への装着時には、光伝送部２１のスライド機構により支持体３０に設けられた光伝送ハウジング２０の内部（第２の位置）までレンズ２４は後退する。
【００２５】
光伝送ハウジング２０は、電気伝送ハウジング１０の上部に設けられ、その前面および上面（後述の上面２０Ｕ）は支持体３０の前面および上面と同一面上にある。即ち、光伝送ハウジング２０は、支持体３０に埋め込まれるように設けられている。光伝送ハウジング２０は、電気伝送ハウジング１０と同様にその前面に開口を有し、この開口から光伝送部２１が収容されるようになっている。光伝送ハウジング２０は、上面２０Ｕおよび２つの側面２０Ｓからなり、下面は、電気伝送ハウジング１０の上面１０Ｕにより構成されている。光伝送ハウジング２０も、電気伝送ハウジング１０と同様に例えばステンレス等の金属からなる。
【００２６】
図４（Ａ）は、コネクタ１が装着される電子機器２の外観を表している。電子機器２はノート型パーソナルコンピュータであり、例えば、本体２００，文字等の入力操作のためのキーボード２００Ｋおよび画像を表示する表示部２００Ｄを有しており、本体２００にコネクタ１とは逆タイプのコネクタ部２００Ｃ（メス型コネクタ部）が設けられている。図４（Ｂ）に示したように、このコネクタ部２００Ｃは、コネクタ１とほぼ同様の構成であり、電気伝送ハウジング２１０に電気伝送部２１１、光伝送ハウジング２２０に光伝送部２２１がそれぞれ収容されている。即ち、電子機器２は、光伝送機能を有するコネクタ１を装着可能であり、かつ、既存の電気伝送機能のみを有するコネクタも装着することができる。このコネクタ部２００Ｃは、電気伝送ハウジング２１０がコネクタ１の電気伝送ハウジング１０（電気伝送部１１）を収容可能な凹状である点および光伝送部２２１には凸部２３に代えて、凹部２２３（位置規制部）が設けられている点でコネクタ１と異なっている。凹部２２３は、深さ方向において直径が変化しないものであってもよく、あるいは凸部２３に対応したテーパ状であってもよい。
【００２７】
図５は、電子機器２への装着前後のコネクタ１の変化を表している。図５（Ａ）は装着前、図５（Ｂ）は装着後である。上述のように光伝送部２１は可動であり、電子機器２への装着時には後退して光伝送経路が光伝送ハウジング２０（支持体３０）の内部に収容される。
【００２８】
図６、図７および図８は、この動作の機構を表すものである。図６（Ａ）に示したように、スライダ２２にスライド溝２５ａ、上面１０Ｕにスライド壁２５ｂがそれぞれ設けられ、このスライド溝２５ａ、スライド壁２５ｂに沿ってスライダ２２が移動する。電気伝送ハウジング１０の上面１０Ｕに一体的に設けられた第１ばね部材２６および第２ばね部材２７は、スライダ２２を第２の位置から第１の位置（前方向）に付勢し、第１の位置で停止させるものである。
【００２９】
図７に表したように、電子機器２との装着状態（図７（Ｂ））からコネクタ１を抜き出すと、スライダ２２は第１ばね部材２６の弾性力により前方向に押し出される（図７（Ａ））。その後、第２ばね部材２７の端部（図６（Ｂ）  傾斜面２７Ｓ）が、スライダ２２に当接することにより、付勢されたスライダ２２が第１の位置で係止される（図８（Ａ））。この係止状態は、電子機器２との装着により解除されるようになっている（図８（Ｂ））。
【００３０】
図６（Ｂ）は、図６（Ａ）の側面の構成を表したものである。第２ばね部材２７は、第１ばね部材２６よりもスライド溝２５ａの下側に設けられ、その端面（傾斜面２７Ｓ）は、上面１０Ｕの法線に対して角度θの傾斜を有している。θは、例えば３０〜７０度程度であり、好ましくは４５度である。スライド溝２５ａ（スライダ２２）の第２ばね部材２７との当接面（傾斜面２５Ｓ）は、これに沿うよう傾斜している。このように第２ばね部材２７に傾斜面２７Ｓを設けることにより、スライダ２２が電気伝送ハウジング１０（上面１０Ｕ）に押し当てられて密着し、第１の位置での停止状態が安定する。詳細には、スライダ２２が持つクリアランス分のガタツキがなくなった状態で、第１の位置に停止される。電気伝送ハウジング１０、光伝送ハウジング２０、第１ばね部材２６および第２ばね部材２７は、板金の一体成型により製造し、例えばジグ等により支持体３０に固定する。このような一体成型を用いることにより、不具合が生じた場合に交換が容易となる。金属による変形を防ぐため、電気伝送ハウジング１０、光伝送ハウジング２０、第１ばね部材２６および第２ばね部材２７をセラミック材料により形成するようにしてもよい。
【００３１】
このコネクタ１では、電気伝送ハウジング１０を電子機器２の電気伝送ハウジング２１０へ嵌合させると、コネクタ１の電気伝送部１１が電子機器２の電気伝送部２１１に接続し、電気伝送がなされ、加えて以下のように光伝送がなされる。電気伝送ハウジング１０と電気伝送ハウジング２１０とが接続されると、図９（Ａ）に示したように、光伝送部２１と光伝送部２２１とが近づき、光伝送経路は光伝送ハウジング２０に収容される（図５（Ｂ））。続いて、図９（Ｂ）に示したように、凸部２３が凹部２２３に挿入されて、複数のレンズ２４各々とレンズ２２４との精確な位置合わせが行われ、固定される。このとき、スライダ２２，２２２のレンズ２４，２２４が配置された領域は両端よりも後退しているため、レンズ２４とレンズ２２４とは接触せず、スライダ２２，２２２が当接することにより密閉される。この状態で、電子機器２（レンズ２２４）から光（平行光）が出射されると、この光は密閉空間を伝播し、レンズ２４で光伝送体の端部に集光される。更に光伝送体内を伝わり、その先に接続された相手方の電子機器に入力される。この相手方の電子機器から、電子機器２へ光信号が入力される場合も同様である。ここでは、光伝送部２１が、電気伝送部１１が設けられた電気伝送ハウジング１０の外側に設けられているので、光伝送部を持たない、既存の電気伝送機能のみの電子機器（被コネクト機器）にも装着することができる。以下、これについて比較例を用いつつ説明する。
【００３２】
図１０は、比較例に係るコネクタ（コネクタ１００）の構成を表している。このコネクタ１００では、光伝送部２１が電気伝送部１１と共に電気伝送ハウジング１０の内側に設けられているので、電気伝送部２１１のみを有する電子機器２Ａ（図１１）には装着することができず、別のコネクタを準備する必要がある。既存のＵＳＢやＨＤＭＩの規定のハウジングの内部には、光伝送用の部品を搭載するための十分な空間がなく、コネクタ１００では、電気伝送部２１１の電気配線の配置が既存のものと異なっている。このため、コネクタ１００を電子機器２Ａに装着すると、光伝送部２１の部品が電気伝送部２１１の電気配線に接触し、干渉してしまう。
【００３３】
これに対し、本実施の形態のコネクタ１では、光伝送部２１が、電気伝送ハウジング１０の外側に設けられているので、電気伝送ハウジング１０の電気伝送部１１の電気配線の配置を変更する必要がなく、また、電子機器２Ａへの装着時にも光伝送部２１の部品が電気伝送部２１１の電気配線に干渉する虞がない。即ち、下位互換性が保証される。
【００３４】
以上、本実施の形態では、光伝送部２１を電気伝送ハウジング１０の外側に設けるようにしたので、既存の電気伝送機能のみの電子機器２Ａとの装着の際にも、光伝送部２１による阻害を防ぐことができる。よって、コネクタ１は、電気伝送機能と共に光伝送機能を有し、かつ、既存の電気伝送機能のみの電子機器２Ａとも装着することができる。即ち、コネクタ１では、下位互換性が保証される。
【００３５】
また、光伝送部２１を第１の位置と第２の位置との間で可動にすることにより、製造時に部品の配置にある程度のばらつきが生じた場合にも、電子機器への装着時にレンズ２４（光伝送経路）の位置合わせを精確に行うことができる。
【００３６】
更に、電気伝送ハウジング１０および光伝送ハウジング２０と、光伝送部２１を移動させるための第１ばね部材２６および第２ばね部材２７とを一体成型により形成することで、低コストとなり、かつ、不具合が生じた場合の交換も容易となる。
【００３７】
以下、本技術の変形例について説明するが、上記実施の形態と共通の構成要素については同一符号を付してその説明は省略する。
【００３８】
〔変形例〕
図１２および図１３は、変形例にかかるコネクタ（コネクタ１Ａ）の構成を表したものである。図１２は、電子機器へ未装着の状態、図１３は装着状態をそれぞれ表している。このコネクタ１Ａは、光伝送部２１にレンズ２４を保護するための保護カバー２８を有している点で、上記実施の形態のコネクタ１と異なるものである。保護カバー２８には、弾性材料を用いることができ、例えば、厚み０．１ｍｍのばね鋼により構成されている。
【００３９】
保護カバー２８は、スライダ２２の上面と光伝送ハウジング２０の上面２０Ｕとの間に設けられ、スライダ２２の上面から前端面の中央部（レンズ２４）を覆っている。電子機器への未装着時（図１２）には、この保護カバー２８がスライダ２２に接してレンズ２４を保護する。保護カバー２８は、その一部にスライダ２２の上面から上方向に傾斜して離間した傾斜部２８Ｄを有しており、電子機器への装着時（図１３）にはこの傾斜部２８Ｄにより保護カバー２８が変位するようになっている。
【００４０】
また、保護カバー２８には開口２８Ｍが設けられており、この開口２８Ｍが電子機器への装着時にはレンズ２４との対向位置に（図１３）、未装着時には、この位置よりも例えば０．５ｍｍ程度上方に（図１２）配置されるようになっている。これにより、電子機器との装着時に、保護カバー２８が光の伝播を阻害することを防ぐことができる。
【００４１】
図１４（Ａ）および図１４（Ｃ）は、電子機器への未装着時の光伝送部２１と保護カバー２８との側面図および正面図、図１４（Ｂ）および図１４（Ｄ）は、電子機器への装着時の光伝送部２１と保護カバー２８との側面図および正面図である。保護カバー２８は、スライダ２２のスライド動作に連動するようになっており、スライダ２２が後方向（第１の位置から第２の位置）に移動すると傾斜部２８Ｄ（図１４（Ａ））が上面２０Ｕ（支持体３０の内壁面）に接触して押し下げられ、スライダ２２に密着する（図１４（Ｂ））。このとき、レンズ２４の上方にあった開口２８Ｍ（図１４（Ｃ））も、傾斜部２８Ｄの下降に伴い、レンズ２４との対向位置まで下方向に移動する（図１４（Ｄ））。スライダ２２が前方向（第２の位置から第１の位置）に移動すると、保護カバー２８の傾斜部２８Ｄは、スライダ２２から上方向に離間する。
【００４２】
本変形例では、保護カバー２８を設けることにより、電子機器への未装着時には光伝送ハウジング２０から露出されるレンズ２４を破損や汚れから保護し、また、傾斜部２８Ｄおよび開口２８Ｍを設けることにより、電子機器への装着時には保護カバー２８による光の伝播の阻害を容易に防止することができる。
【００４３】
更に、上記のように一枚のばね鋼に開口２８Ｍを設けて、レンズ２４の保護と露出とを行うことにより、低コスト化でき、かつ、複数の部品を組み合わせる場合に比べて不具合の発生頻度を抑えることが可能となる。
【００４４】
保護カバー２８は、例えば、ばねにテフロン（登録商標）シート等を連結して、上記のように動作させるようにしてもよい。
【００４５】
以上、実施の形態および変形例を挙げて本技術を説明したが、本技術は上記実施の形態等に限定されるものではなく、種々変形可能である。例えば、上記実施の形態では、コネクタ１，１ＡがＨＤＭＩ規格である場合を例示したが、支持体３０に光伝送部２１を形成するためのスペースを有するものであれば、その他の規格であってもよい。また、上記実施の形態等では、光伝送部２１を電気伝送ハウジング１０の上側に設けた場合について示したが、他の位置に配置するようにしてもよい。
【００４６】
更に、上記実施の形態等では、コネクタ１と電子機器２とを装着する場合について説明したが、電子機器内のデバイス同士をコネクタ１により接続するようにしてもよい。また、電子機器２は、ノート型パーソナルコンピュータ以外の電子機器であってもよい。加えて、コネクタ１は、ケーブルのない、例えばＵＳＢ（登録商標）メモリ等であってもよい。
【００４７】
また、更に、例えば、上記実施の形態において説明した各部の材料および厚み、または形成方法および形成条件などは限定されるものではなく、他の材料および厚みとしてもよく、または他の形成方法および形成条件としてもよい。
【００４８】
なお、本技術は、以下のような構成も可能である。
（１）電気伝送部および光伝送部と、前記電気伝送部と前記光伝送部との間に設けられた仕切り部とを備えたコネクタ。
（２）前記電気伝送部は第１ハウジングの内側、前記光伝送部は前記第１ハウジングの外側にそれぞれ設けられ、前記仕切り部は前記第１ハウジングの一部により構成されている前記（１）記載のコネクタ。
（３）前記光伝送部は光伝送経路の一端にレンズを有すると共に、前記光伝送部がスライド可能な第２ハウジングを有し、前記レンズは前記第２ハウジングの前面よりも突出した第１の位置に配置され、被コネクト機器への装着時に前記第２ハウジングの内部の第２の位置まで後退する前記（２）記載のコネクタ。
（４）前記光伝送部を第２の位置から第１の位置方向へ付勢する第１ばね部材と、第１の位置で停止させる第２ばね部材とを有する前記（３）記載のコネクタ。
（５）前記第２ばね部材の前記光伝送部との当接面は前記仕切り部の法線に対して傾斜を有し、前記光伝送部の前記第２ばね部材との当接面が前記傾斜に沿っている前記（４）記載のコネクタ。
（６）前記第１ハウジング、前記第２ハウジング、前記第１ばね部材および前記第２ばね部材は一体化されている前記（４）または（５）に記載のコネクタ。
（７）前記レンズは前記光伝送部の前端面に設けられ、前記光伝送部の上面から前端面を覆う保護カバーを有し、前記保護カバーは、前記光伝送部が第１の位置に配置されている時に、上方向に前記光伝送部から離間した傾斜部を有すると共に前記レンズとの対向位置よりも上部に開口を有し、前記レンズを保護する前記（３）乃至（６）のうちいずれか１つに記載のコネクタ。
（８）前記保護カバーは、前記光伝送部が第２の位置に後退する際に前記傾斜部が前記第２ハウジングの内壁面に当接して下降し、前記開口が前記レンズに対向する前記（７）記載のコネクタ。
（９）前記光伝送部は被コネクト機器への装着時の位置決めを行う、位置規制部を有する前記（１）乃至（８）のうちいずれか１つに記載のコネクタ。
（１０）前記位置規制部は、テーパ状の凸部である前記（９）記載のコネクタ。
（１１）装着されるコネクタと逆タイプのコネクタ部を有し、前記コネクタ部は、電気伝送部および光伝送部と、前記電気伝送部と前記光伝送部との間に設けられた仕切り部とを備えた電子機器。
【符号の説明】
【００４９】
１，１Ａ・・・コネクタ、２・・・電子機器、１０，２１０・・・電気伝送ハウジング、１１，２１１・・・電気伝送部、２０，２２０・・・光伝送ハウジング、２１，２２１・・・光伝送部、２２，２２２・・・基体、２３・・・凸部、２２３・・・凹部、２４，２２４・・・レンズ、２５ａ・・・スライド溝、２５ｂ・・・スライド壁、２６・・・第１ばね部材、２７・・・第２ばね部材、２８・・・保護カバー、２８Ｍ・・・開口、２８Ｒ・・・余剰部、３０，２３０・・・支持体。
【図１】
0005879936.tif 000002
【図２】
0005879936.tif 000003
【図３】
0005879936.tif 000004
【図４】
0005879936.tif 000005
【図５】
0005879936.tif 000006
【図６】
0005879936.tif 000007
【図７】
0005879936.tif 000008
【図８】
0005879936.tif 000009
【図９】
0005879936.tif 000010
【図１０】
0005879936.tif 000011
【図１１】
0005879936.tif 000012
【図１２】
0005879936.tif 000013
【図１３】
0005879936.tif 000014
【図１４】
0005879936.tif 000015